(57)【要約】【課題】通常外気温度での安定した空調運転を行なうことは、勿論、低外気温度でも安定した空調運転を行なえる空気調和装置を提供することにある。【解決手段】室外熱交換器１２を複数個に分割して、冷媒制御弁１１ａ〜１１ｄ、および、室外電動弁１３ａ、ｂを設けて並列に接続し、室内ユニット２の室内制御部２２からの冷暖信号や、運転信号により、外気温度センサ３０や、室内冷媒温度センサ２４で検出される温度信号に基づいて、前記冷媒制御弁１１ａ〜１１ｄ、および、室外電動弁１３を制御して、使用する室外熱交換器を選択し、運転を行なわせる。これにより、外気温度、或いは、冷媒温度に適した熱交換容量の室外熱交換器での空調運転が可能となるため、通常外気温度では勿論、低外気温度でも安定した空調運転を行うことが可能となる。【選択図】　　　図２
2004003691.tif 000002
【特許請求の範囲】
【請求項１】
室外ユニットと、室内ユニットとを有する空気調和装置において、
前記室外ユニットに内蔵された室外熱交換器を、複数に分割した小熱交換器を並列に接続したものとし、外気温度、或いは、冷媒温度を検出して、前記小室外熱交換器を選択させたことを特徴とする空気調和装置。
【請求項２】
前記小熱交換器と、前記室外ユニットに内蔵された圧縮機側とを結ぶ冷媒配管を設け、分岐して、一方を第１冷媒制御弁を介して前記圧縮機の吐出側へ接続し、他方を第２冷媒制御弁を介して前記圧縮機の吸込み側へ接続したことを特徴とする請求項１に記載の空気調和装置。
【請求項３】
前記圧縮機の吐出側の冷媒配管と、吸込み側の冷媒配管と、前記室内ユニットへ延びる冷媒配管のガス管とを接続する三方弁を設け、前記小熱交換器と、圧縮機との間に設けた前記第１、および、第２冷媒制御弁と、前記三方弁とを制御することにより、前記圧縮機から吐出される冷媒の循環方向を切替えたことを特徴とする請求項１または２に記載の空気調和装置。
【請求項４】
前記小熱交換器の前記圧縮機の吸込み側に設けた前記第２冷媒制御弁を、暖房運転時には、該小熱交換器が選択されていない時でも開放させたことを特徴とする請求項１乃至３のいずれかに記載の空気調和装置。
【発明の詳細な説明】
【０００１】
【発明の属する技術分野】
室外ユニットと、室内ユニットとを有し、空調運転を行なう空気調和装置に関する。
【０００２】
【従来の技術】
熱源となる装置が多数設置された部屋や、高温となる装置が置かれた部屋では、冬季でも前記装置からの発熱により、部屋内部の温度は上昇してしまうため、空気調和装置を設置し、年間を通して、冷房運転が行なわれ、特に、コンピュータルームなどの情報機器を運転している部屋では、その部屋内を冷房して、室内温度を所定の温度に保つ必要があった。
【０００３】
同様に、美術館や図書館などでは、熱源となる装置などが無いため、部屋内を冷暖房して、室内温度を所定の温度に保つ必要があった。
【０００４】
これまでの空気調和装置での冷房運転では、圧縮機で冷媒を圧縮して高温高圧の冷媒ガスとし、この冷媒ガスを室外ユニットに内蔵された室外熱交換器で外気と熱交換させて放熱、凝縮させ、前記冷媒を低温高圧の液冷媒にし、途中、減圧弁を経由させて、低温低圧の液冷媒として室内ユニットへ送り、この液冷媒を前記室内ユニットに内蔵された室内熱交換器で室内空気と熱交換させて吸熱させ、前記液冷媒を蒸発させて低温低圧の冷媒ガスとして、前記室外ユニットへ戻し、再度、圧縮機へ流入させて循環させ、また、暖房運転では、前記高温高圧の冷媒ガスを前記室内熱交換器で室内空気と熱交換させて放熱、凝縮させ、前記冷媒を低温高圧の液冷媒にし、途中、減圧弁を経由させて、低温低圧の液冷媒として前記室外熱交換器へと送り、この液冷媒を前記室外熱交換器で外気と熱交換させて吸熱させ、前記液冷媒を蒸発させて低温低圧の冷媒ガスとして、再度、圧縮機へ流入させて循環させていた。
【０００５】
このため、前記冷房運転では、前記外気の温度が高温に成れば成る程、前記冷媒の前記室外熱交換器での放熱能力は低下してしまうことから、冷房能力も低下てしまう結果となり、前記暖房運転では、前記外気の温度が低温に成れば成る程、前記冷媒の前記室外熱交換器での吸熱能力が低下してしまうことから、暖房能力も低下してしまう傾向にあった。
【０００６】
【発明が解決しようとする課題】
しかし、前記冷房運転が行なえる外気温度の温度範囲については限界があり、例えば、外気温度が０℃以下の温度まで低下してしまった場合、前記室外熱交換器での必要以上の放熱が行なわれ、室内ユニットへ送られる前記冷媒の圧力までも低下してしまい、前記冷媒の室内ユニットへの搬送能力が低下し、循環する冷媒量も減少してしまうため、前記室内熱交換器では、一種の冷媒ガス欠状態と同様の症状となり、この室内熱交換器での蒸発能力は低下し、冷房能力が低下してしまう結果となってしまっていた。
【０００７】
また、前記暖房運転では、前記外気温度がそれ程低く無い場合、前記外気からの吸熱量が多くなり、前記室内ユニットが高負荷ぎみでの運転となるため、前記圧縮機をインバータなどの能力制御が可能な機種を除いては、圧縮機を運転、停止させる間欠運転を行なうこととなってしまっていた。
【０００８】
このため、この低外気温度での冷房運転における冷房運転能力の確保と、高外気温度から低外気温度に至るまで、安定した冷房運転を行えるとともに、暖房運転でも、高負荷とならない安定した暖房運転が行なえることが望まれていた。
【０００９】
このことより、本発明の目的は、通常外気温度での安定した空調運転を行なうことは、勿論、低外気温度でも安定した空調運転を行なえる空気調和装置を提供することにある。
【００１０】
【課題を解決するための手段】
請求項１に記載の発明は、室外ユニットと、室内ユニットとを有する空気調和装置において、前記室外ユニットに内蔵された室外熱交換器を、複数に分割した小熱交換器を並列に接続したものとし、外気温度、或いは、冷媒温度を検出して、前記小室外熱交換器を選択させたことを特徴とするものである。
【００１１】
請求項２に記載の発明は、請求項１に記載のものにおいて、前記小熱交換器と、前記室外ユニットに内蔵された圧縮機側とを結ぶ冷媒配管を設け、分岐して、一方を第１冷媒制御弁を介して前記圧縮機の吐出側へ接続し、他方を第２冷媒制御弁を介して前記圧縮機の吸込み側へ接続したことを特徴とするものである。
【００１２】
請求項３に記載の発明は、請求項１または２に記載のものにおいて、前記圧縮機の吐出側の冷媒配管と、吸込み側の冷媒配管と、前記室内ユニットへ延びる冷媒配管のガス管とを接続する三方弁を設け、前記小熱交換器と、圧縮機との間に設けた前記第１、および、第２冷媒制御弁と、前記三方弁とを制御することにより、前記圧縮機から吐出される冷媒の循環方向を切替えたことを特徴とするものである。
【００１３】
請求項４に記載の発明は、請求項１乃至３のいずれかに記載のものにおいて、前記小熱交換器の前記圧縮機の吸込み側に設けた前記第２冷媒制御弁を、暖房運転時には、該小熱交換器が選択されていない時でも開放させたことを特徴とするものである。
【００１４】
【発明の実施の形態】
以下、本発明の実施の形態について、図１から図３を用いて説明する。
【００１５】
図１は、本発明による複数に分割された室外熱交換器を備えた室外ユニットを有する空気調和装置の冷媒回路図である。
【００１６】
この空気調和装置１００の構成について説明すると、室外ユニット１には、圧縮機１０と、冷媒制御弁１１ａ〜１１ｄと、室外熱交換器１２と、室外電動弁１３と、三方弁１４と、アキュームレータ１５とが冷媒配管で接続されて内蔵されている。
【００１７】
室外熱交換器１２は、熱交換容量の小さい室外熱交換器１２ａと、熱交換容量の大きい室外熱交換器１２ｂとの異容量の複数の熱交換器で構成され、室外熱交換器１２ａより延びる冷媒配管の一方は、分岐されて、冷媒制御弁１１ａを介して、圧縮機１０の吐出側へ接続されるとともに、冷媒制御弁１１ｂを介して、アキュームレータ１５の吸込側へ接続され、他方は、室外電動弁１３ａを介して、室外熱交換器１２ｂより延びる冷媒配管を接続して、ユニット間配管３の液管３ａへと接続されており、室外熱交換器１２ｂより延びる冷媒配管の一方は、分岐されて、冷媒制御弁１１ｃを介して、圧縮機１０の吐出側へ接続されるとともに、冷媒制御弁１１ｄを介して、アキュームレータ１５の吸込側へ接続され、他方は、室外電動弁１３ｂを介して、室外熱交換器１２ａより延びる冷媒配管を接続して、ユニット間配管３の液管３ａへと接続されている。
【００１８】
また、室外ユニット１には、室外熱交換器１２ａ、１２ｂへ送風を行なう室外送風機１７と、外気温度センサ３０と、室外冷媒温度センサ３１と、室外制御部１８とが内蔵されている。
【００１９】
室内ユニット２には、室内電動弁２０と、室内熱交換器２１とが冷媒配管で接続されて内蔵され、さらに、室内熱交換器２１へ送風を行なう室内送風機２３と、室内冷媒温度センサ２４と、室内制御部２２とが内蔵されている。
【００２０】
この室外ユニット１と、室内ユニット２とは、液管３ａと、ガス管３ｂとからなるユニット間配管３と、ユニット間配線４とで接続されて構成されている。
【００２１】
ここで、本実施の形態では、上記説明の様に、冷媒制御弁１１ａ〜１１ｄ、および、三方弁１４を制御することにより、冷媒の循環方向を反転させるとともに、前記冷媒の室外熱交換器１２ａ、１２ｂでの寝込み防止をも行なっている。
【００２２】
また、この三方弁１４は、通常の空気調和装置で冷媒の循環方向の反転に使用している四方弁の１方を閉塞して、３方弁として用いることも可能である。
【００２３】
そして、室内ユニット２に内蔵された室内制御部２２より、室外ユニット１に内蔵された室外制御部１８へ、ユニット間配線４を通じ、冷暖と、運転開始との指示が出されると、室外制御部１８では、室内制御部２２からの冷暖信号や、外気温度センサ３０、或いは、室外冷媒温度センサ３１からの温度信号に基づいて、室外熱交換器１２ａ、１２ｂの選択を行ない、冷媒制御弁１１ａ〜１１ｄ、および、三方弁１４を制御して、圧縮機１０と、室外送風機１７とを運転させる。
【００２４】
これを、図２に示すフローチャートを用いて説明すると、まず、室外制御部１８では、本空気調和装置１００が運転中であるか否かの確認を行ない（Ｓ１）、運転中であれば、ステップ２へと進み、運転中で無ければ、タイマａをリセットして（Ｓ３）、室内制御部２２からの運転信号の有無を確認し（Ｓ４）、前記運転信号があれば、ステップ７へと進み、前記運転信号が無ければ、圧縮機１０と、室外送風機１７を停止させて、ステップ１へと戻る。
【００２５】
ここで、上記タイマａは、リセット操作を行なわない限り、勝手に時間をカウントするフリーランタイマで、外気温度センサ３０で検出された温度信号が、使用する室外熱交換器の切替え判断を行う温度付近であった場合、前記室外熱交換器の切替え操作が頻繁に行なわれてしまうことを防止するためのマスクタイマである。
【００２６】
ステップ２では、室内制御部２２からの停止信号の有無を確認し、前記停止信号が有れば、ステップ３へと進み、停止信号が無ければ、タイマａでカウントした時間が一定時間以上であるか否かを確認し（Ｓ６）、前記一定時間が経過していなければ、ステップ１へと戻り、前記一定時間が経過していれば、室内制御部２２からの運転信号が、冷房運転であるか否かの判断を行なう（Ｓ７）。
【００２７】
ステップ７で、冷房運転では無く、暖房運転と判断されると、ステップ１７へ進み、冷房運転であると判断されると、三方弁１４をオフとして（Ｓ８）、外気温度センサ３０からの温度信号が、１０℃未満であるか否かを確認し（Ｓ９）、前記温度信号が、１０℃以上であると判断されると、冷媒制御弁１１ａ、１１ｃをオンとし、冷媒制御弁１１ｂ、１１ｄをオフとして、室外電動弁１３ａ、１３ｂを全開として、室外熱交換器１２ａ、１２ｂの双方の室外熱交換器を選択し（Ｓ１０）、これまでの運転で使用していた室外熱交換器と、今回、選択された室外熱交換器とが同じであるか否かを確認し（Ｓ１４）、同じであれば、ステップ１６へ進み、異なれば、タイマａをリセットして（Ｓ１５）、圧縮機１０と、室外送風機１７とを運転させて（Ｓ１６）、ステップ１へと戻る。
【００２８】
ステップ９で、前記温度信号が、１０℃未満であると判断されると、外気温度センサ３０からの前記温度信号が、５℃未満であるか否かを確認し（Ｓ１１）、前記温度信号が５℃以上であれば、冷媒制御弁１１ｃをオンとし、冷媒制御弁１１ａ、１１ｂ、１１ｄをオフとして、室外電動弁１３ａを全閉、室外電動弁１３ｂを全開として、室外熱交換器１２ｂを選択し（Ｓ１２）、ステップ１４へと進む。
【００２９】
ステップ１１で、前記温度信号が、５℃未満であると判断されると、冷媒制御弁１１ａをオンとし、冷媒制御弁１１ｂ〜１１ｄをオフとして、室外電動弁１３ｂを全閉、室外電動弁１３ａを全開として、室外熱交換器１２ａを選択し（Ｓ１３）、ステップ１４へと進む。
【００３０】
また、上記ステップ７で、暖房運転と判断されると、三方弁１４をオンとして（Ｓ１７）、室内冷媒温度センサ２４からの温度信号が、６０℃未満であるか否かを確認し（Ｓ１８）、前記温度信号が、６０℃以上であると判断されると、冷媒制御弁１１ｂ、１１ｄをオンとし、冷媒制御弁１１ａ、１１ｃをオフとして、室外電動弁１３ａを絞った開度、室外電動弁１３ｂを全閉とし、室外熱交換器１２ａを選択して（Ｓ１９）、ステップ１４へと進む。
【００３１】
ステップ１８で、前記温度信号が、６０℃未満であると判断されると、室内冷媒温度センサ２４からの前記温度信号が、５０℃以上であるか否か確認し（Ｓ２０）、前記温度信号が、５０℃以上であると判断されると、冷媒制御弁１１ｂ、１１ｄをオンとし、冷媒制御弁１１ａ、１１ｃをオフとして、室外電動弁１３ａを全閉、室外電動弁１３ｂを絞った開度とし、室外熱交換器１２ｂを選択して（Ｓ２１）、ステップ１４へと進む。
【００３２】
ステップ２０で、前記温度信号が、５０℃未満であると判断されると、冷媒制御弁１１ｂ、１１ｄをオンとし、冷媒制御弁１１ａ、１１ｃをオフとして、室外電動弁１３ａ、１３ｂを絞った開度とし、室外熱交換器１２ａ、１２ｂを選択して（Ｓ２２）、ステップ１４へと進む。
【００３３】
ここで、この暖房運転時に、室外熱交換器１２ａ、１２ｂの選択に関わらず、アキュームレータ１５へ接続される冷媒制御弁１１ｂ、１１ｄをオンとしている理由は、選択されていない室外熱交換器での冷媒寝込みを防止するためである。
【００３４】
この様に、室外熱交換器１２を、容量の異なる複数の室外熱交換器１２ａ、１２ｂとし、外気温度センサ３０、および、室内冷媒温度センサ２４からの温度信号に基づいて、前記室外熱交換器１２ａ、１２ｂの少なくともいずれかを選択させて運転させることにより、冷房運転では、外気温度に適した熱交換容量の室外熱交換器での運転が可能となるため、冷媒の必要以上の放熱を防止して、室内ユニットへ循環させる冷媒の搬送能力が低減してしまうことが回避でき、また、暖房運転では、室内ユニット２の高負荷状態を回避しながらの運転が可能となるため、通常の外気温度から低外気温度まで、安定した冷暖房の空調運転を行わせることが可能となる。
【００３５】
また、この外気温度に適した容量の室外熱交換器を選択させた運転については、上記外気温度センサ３０で無く、室外冷媒温度センサ３１に基づいて行なわせることも可能である。
【００３６】
特に、本空気調和装置１００が運転中である場合、外気温度センサ３０からの温度信号を検出して制御を行うよりも、この室外冷媒温度センサ３１からの温度信号を検出して行なわせる制御の方が、本空気調和装置１００の運転状態に則した室外熱交換器の選択が行なえる。
【００３７】
そこで、図３のフローチャートに示す様に、運転開始時には、外気温度センサ３０からの温度信号での室外熱交換器の選択を行ない、運転中は、室外冷媒温度センサ３１からの温度信号での室外熱交換器の選択について説明する。
【００３８】
まず、室外制御部１８では、本空気調和装置１００が運転中であるか否かの確認を行ない（Ｓ２３）、運転中で有れば、ステップ２４へと進み、運転中で無ければ、タイマａをリセットして（Ｓ２５）、レジスタｂへ外気温度センサ３０で検出された温度信号をセットし、レジスタｃ、ｄをそれぞれ１０℃、５℃に相当する温度信号の値として（Ｓ２６）、室内制御部２２からの運転信号の有無を確認し（Ｓ２７）、前記運転信号が有れば、ステップ３１へと進み、前記運転信号が無ければ、圧縮機１０と、室外送風機１７を停止させて（Ｓ２８）、ステップ２３へと戻る。
【００３９】
ステップ２４では、室内制御部２２からの停止信号の有無を確認し、前記停止信号が有れば、ステップ２５へと進み、停止信号が無ければ、タイマａでカウントした時間が一定時間以上であるか否かを確認し（Ｓ２９）、前記一定時間が経過していなければ、ステップ２３へと戻り、前記一定時間が経過していれば、レジスタｂへ室外冷媒温度センサ３１で検出された温度信号をセットし、レジスタｃ、ｄをそれぞれ２５℃、１５℃に相当する温度信号の値として（Ｓ３０）、室内制御部２２からの運転信号が、冷房運転であるか否かの判断を行なう（Ｓ３１）。
【００４０】
ステップ３１で、冷房運転では無く、暖房運転と判断されると、ステップ４１へ進み、冷房運転であると判断されると、三方弁１４をオフとして（Ｓ３２）、上記ステップ２６、或いは、ステップ３０でレジスタｂにセットされた温度信号が、レジスタｃにセットされた値未満であるか否かを確認し（Ｓ３３）、前記レジスタｂの温度信号が、レジスタｃの値以上であると判断されると、冷媒制御弁１１ａ、１１ｃをオンとし、冷媒制御弁１１ｂ、１１ｄをオフとして、室外電動弁１３ａ、１３ｂを全開として、室外熱交換器１２ａ、１２ｂの双方の室外熱交換器を選択し（Ｓ３４）、これまでの運転で使用していた室外熱交換器と、今回、選択された室外熱交換器とが同じであるか否かを確認し（Ｓ３８）、同じであれば、ステップ４０へ進み、異なれば、タイマａをリセットして（Ｓ３９）、圧縮機１０と、室外送風機１７とを運転させて（Ｓ４０）、ステップ２３へと戻る。
【００４１】
ステップ３３で、前記レジスタｂにセットされた温度信号が、レジスタｃにセットされた値未満であると判断されると、今度は、レジスタｂにセットされた前記温度信号が、レジスタｄにセットされた値未満であるか否かを確認し（Ｓ３５）、前記レジスタｂの温度信号が、レジスタｄにセットされた値以上であれば、冷媒制御弁１１ｃをオンとし、冷媒制御弁１１ａ、１１ｂ、１１ｄをオフとして、室外電動弁１３ａを全閉、室外電動弁１３ｂを全開として、室外熱交換器１２ｂを選択し（Ｓ３６）、ステップ３８へと進む。
【００４２】
ステップ３５で、前記レジスタｂにセットされた温度信号が、レジスタｄにセットされた値未満であると判断されると、冷媒制御弁１１ａをオンとし、冷媒制御弁１１ｂ〜１１ｄをオフとして、室外電動弁１３ｂを全閉、室外電動弁１３ａを全開として、室外熱交換器１２ａを選択し（Ｓ３７）、ステップ３８へと進む。
【００４３】
また、上記ステップ３１で、暖房運転と判断されると、三方弁１４をオンとして（Ｓ４１）、室内冷媒温度センサ２４からの温度信号が、６０℃以上であるか否かを確認し（Ｓ４２）、前記温度信号が、６０℃以上であると判断されると、冷媒制御弁１１ｂ、１１ｄをオンとし、冷媒制御弁１１ａ、１１ｃをオフとして、室外電動弁１３ａを絞った開度、室外電動弁１３ｂを全閉とし、室外熱交換器１２ａを選択して（Ｓ４３）、ステップ３８へと進む。
【００４４】
ステップ４２で、前記温度信号が、６０℃未満であると判断されると、室内冷媒温度センサ２４からの前記温度信号が、５０℃以上であるか否か確認し（Ｓ４４）、前記温度信号が、５０℃以上であると判断されると、冷媒制御弁１１ｂ、１１ｄをオンとし、冷媒制御弁１１ａ、１１ｃをオフとして、室外電動弁１３ａを全閉、室外電動弁１３ｂを絞った開度とし、室外熱交換器１２ｂを選択して（Ｓ４５）、ステップ３８へと進む。
【００４５】
ステップ４４で、前記温度信号が、５０℃未満であると判断されると、冷媒制御弁１１ｂ、１１ｄをオンとし、冷媒制御弁１１ａ、１１ｃをオフとして、室外電動弁１３ａ、１３ｂを絞った開度とし、室外熱交換器１２ａ、１２ｂを選択して（Ｓ４６）、ステップ３８へと進む。
【００４６】
この様に、外気温度センサ３０と、室外冷媒温度センサ３１と、室内冷媒温度センサ２４とからの温度信号に基づいて、前記室外熱交換器１２ａ、１２ｂの少なくともいずれかを選択させて運転させることにより、冷房運転では、外気温度、或いは、冷媒温度に適した容量の室外熱交換器での運転ができ、暖房運転では、室内ユニット２の高負荷状態を回避しながらの運転が可能となるため、通常の外気温度から低外気温度まで、安定した冷暖房の空調運転を行わせることが可能となる。
【００４７】
さらに、この外気温度センサ３０、或いは、室外冷媒温度センサ３１や、室内冷媒温度センサ２４からの温度信号に基づいて、室外熱交換器の容量を選択させることに加え、前記少なくともいずれかの温度センサからの温度信号に基づいて、室外送風機１７の風速を速調させることにより、その時点で使用している室外熱交換器の熱交換容量の微調整が行なえる様になるため、より安定した空調運転を行わせることが可能となる。
【００４８】
なお、本願実施の形態では、室外熱交換器を、熱交換容量の小さい室外熱交換器１２ａと、熱交換容量の大きい室外熱交換器１２ｂとの２つの熱交換器に分割し、これら室外熱交換器の少なくともいずれかを選択させて、空調運転を行なわせるものとして説明して来たが、特に、上記複数に分割する熱交換器は、２つとする必要は無く、また、異なる熱交換容量とする必要は無い。
【００４９】
室外熱交換器は、同じ熱交換容量として分割することも可能であれば、２つ以上の熱交換器に分割し、外気温度センサ３０、或いは、室外冷媒温度センサ３１や、室内冷媒温度センサ２４からの温度信号により選択させて、最適な熱交換器容量での空調運転を行なわせるものとしても良い。
【００５０】
【発明の効果】
以上の説明より、室外ユニットと、室内ユニットとを有した空気調和装置において、この室外ユニットに内蔵される室外熱交換器を同容量、或いは、異容量の複数の熱交換器に分割し、前記室外ユニットの外気温度、或いは、前記室外ユニット、および、前記室内ユニットを循環する冷媒の少なくともいずれかの温度を検出して、使用する前記熱交換器を選択させて、空調運転を行わせることにより、最適な熱交換容量の室外熱交換器での運転ができるため、通常外気温度での安定した冷房運転を行なうことは、勿論、低外気温度でも安定した空調運転を行なうことが可能となる。
【図面の簡単な説明】
【図１】本発明による空気調和装置の冷媒回路について示した冷媒回路図である。
【図２】外気温度により使用する室外熱交換器を選択させた空調運転について示したフローチャートである。
【図３】外気温度、および、冷媒温度により使用する室外熱交換器を選択させた空調運転について示したフローチャートである。
【符号の説明】
１　室外ユニット
２　室内ユニット
１１ａ〜１１ｄ　冷媒制御弁
１２ａ、１２ｂ　室外熱交換器
１４　三方弁
２１　室内熱交換器
２４　室内冷媒温度センサ
３０　外気温度センサ
３１　室外冷媒温度センサ
【図１】
2004003691.tif 000003
【図２】
2004003691.tif 000004
【図３】
2004003691.tif 000005